(57)【要約】【課題】低背ヒューズ又はミニヒューズを様々な用途に使用可能とするためのヒューズホルダを提供する。【解決手段】ヒューズ５０を狭持する狭持部１３を備えた一対の接続金具１１と、前記接続金具１１を保持する絶縁ケース体２０と、を備え、前記接続金具１１に配線を接続可能とした。これにより、低背ヒューズ又はミニヒューズを自動車以外の様々な用途に使用することができる。例えばＤＣ用のヒューズ５０を使用したい場合、このヒューズホルダ１０を使用することで容易に低背ヒューズ又はミニヒューズを回路に接続することができる。【選択図】図１
2017045510.tif 000002
【特許請求の範囲】
【請求項１】
低背ヒューズ又はミニヒューズを装着可能なヒューズホルダであって、
ヒューズを狭持する狭持部を備えた一対の接続金具と、
前記接続金具を保持する絶縁ケース体と、
を備え、
前記接続金具に配線を接続可能であることを特徴とする、ヒューズホルダ。
【請求項２】
前記絶縁ケース体には、ヒューズを上方から挿入可能なヒューズ装着部が設けられ、
前記ヒューズ装着部の下方には、前記ヒューズホルダをネジで取り付けるための固定孔が設けられていることを特徴とする、請求項１記載のヒューズホルダ。
【請求項３】
前記接続金具は、配線を接続可能なベース部と、前記ベース部の端部から垂直に立ちあがる前記狭持部と、を備え、
前記絶縁ケース体には、前記ベース部をスライド挿入可能な保持溝が形成されていることを特徴とする、請求項１又は２記載のヒューズホルダ。
【発明の詳細な説明】
【技術分野】
【０００１】
この発明は、低背ヒューズ又はミニヒューズを保持するヒューズホルダに関する。
【背景技術】
【０００２】
自動車の電気接続箱には多数のヒューズが装着されており、過電流が流れたときにヒューズが溶断して電気回路を保護するようになっている。こうした自動車の電気接続箱では、低背ヒューズ又はミニヒューズが広く用いられている（例えば特許文献１参照）。
【先行技術文献】
【特許文献】
【０００３】
【特許文献１】特開２０１３−７０５６１号公報
【発明の概要】
【発明が解決しようとする課題】
【０００４】
従来、低背ヒューズやミニヒューズは自動車専用の部品として使用されており、他の用途に使用することが想定されていなかった。しかしながら、今後、直流配電が普及した場合などには、ＤＣ用のヒューズの利用場面が増加することも考えられる。このようにＤＣ用のヒューズを使用したい場合に、低背ヒューズやミニヒューズが使用できれば便利である。
そこで、本発明は、低背ヒューズ又はミニヒューズを様々な用途に使用可能とするためのヒューズホルダを提供することを課題とする。
【課題を解決するための手段】
【０００５】
本発明は、上記した課題を解決するためになされたものであり、以下を特徴とする。
【０００６】
請求項１記載の発明は、低背ヒューズ又はミニヒューズを装着可能なヒューズホルダであって、ヒューズを狭持する狭持部を備えた一対の接続金具と、前記接続金具を保持する絶縁ケース体と、を備え、前記接続金具に配線を接続可能であることを特徴とする。
【０００７】
請求項２に記載の発明は、上記した請求項１に記載の発明の特徴点に加え、前記絶縁ケース体には、ヒューズを上方から挿入可能なヒューズ装着部が設けられ、前記ヒューズ装着部の下方には、前記ヒューズホルダをネジで取り付けるための固定孔が設けられていることを特徴とする。
【０００８】
請求項３に記載の発明は、上記した請求項１又は２に記載の発明の特徴点に加え、前記接続金具は、配線を接続可能なベース部と、前記ベース部の端部から垂直に立ちあがる前記狭持部と、を備え、前記絶縁ケース体には、前記ベース部をスライド挿入可能な保持溝が形成されていることを特徴とする。
【発明の効果】
【０００９】
請求項１に記載の発明は上記の通りであり、ヒューズを狭持する狭持部を備えた一対の接続金具と、前記接続金具を保持する絶縁ケース体と、を備え、前記接続金具に配線を接続可能であるので、低背ヒューズ又はミニヒューズを自動車以外の様々な用途に使用することができる。例えばＤＣ用のヒューズを使用したい場合、このヒューズホルダを使用することで容易に低背ヒューズ又はミニヒューズを回路に接続することができる。
【００１０】
また、請求項２に記載の発明は上記の通りであり、前記ヒューズ装着部の下方には、前記ヒューズホルダをネジで取り付けるための固定孔が設けられている。よって、固定孔を使用してヒューズホルダを容易に固定することができる。また、ヒューズの裏側に固定孔があるので、ヒューズホルダのサイズを小型化できる。
【００１１】
また、請求項３に記載の発明は上記の通りであり、前記接続金具は、配線を接続可能なベース部と、前記ベース部の端部から垂直に立ちあがる前記狭持部と、を備え、前記絶縁ケース体には、前記ベース部をスライド挿入可能な保持溝が形成されている。このような構成によれば、ベース部を保持溝にスライドさせるだけで接続金具を絶縁ケース体に取り付けることができ、組み付け性がよい。また、ヒューズを取り付けるときに上方向から力が加わっても、接続金具が絶縁ケース体に下から支持されているので、接続金具が変形するなどの問題が生じにくい。
【図面の簡単な説明】
【００１２】
【図１】（ａ）ヒューズホルダの外観斜視図、（ｂ）ヒューズを取り付けたヒューズホルダの外観斜視図である。
【図２】（ａ）ヒューズホルダの正面図、（ｂ）ヒューズホルダの平面図、（ｃ）ヒューズホルダの側面図、（ｄ）ヒューズホルダの底面図である。
【図３】（ａ）ヒューズホルダのＡ−Ａ断面図、（ｂ）ヒューズホルダのＢ−Ｂ断面図、（ｃ）ヒューズを取り付けたヒューズホルダのＢ−Ｂ断面図である。
【図４】（ａ）接続金具の正面図、（ｂ）接続金具の平面図、（ｃ）接続金具の側面図、（ｄ）接続金具の斜視図である。
【発明を実施するための形態】
【００１３】
本発明の実施形態について、図を参照しながら説明する。
【００１４】
本実施形態に係るヒューズホルダ１０は、低背ヒューズを装着可能に形成されており、図１〜３に示すように、一対の接続金具１１と、この一対の接続金具１１を保持する絶縁ケース体２０と、を備えている。
【００１５】
接続金具１１は、図４に示すような側面視略Ｌ字形の金具であり、配線を接続可能なベース部１２と、このベース部１２の端部から垂直に立ちあがる狭持部１３と、を備えている。
【００１６】
ベース部１２には、端子ネジ４０を取り付けるための取付孔１２ａが貫通形成されている。取付孔１２ａの内周には端子ネジ４０に螺合するめねじがきってあり、このめねじを利用して端子ネジ４０を螺着可能となっている。端子ネジ４０は、接続金具１１に対して配線を接続するためのものである。接続金具１１に配線を接続するときには、接続金具１１に取り付けた端子ネジ４０を緩めて、端子ネジ４０とベース部１２との間に隙間を形成する。この隙間に配線の端部（圧着端子など）を挿入し、端子ネジ４０を締め付ければ、端子ネジ４０の頭部とベース部１２とで配線の端部を挟み込んで保持することができるようになっている。
【００１７】
狭持部１３は、ヒューズ５０を狭持するための部位であり、対向する一対の狭持片１３ａを備えている。また、この一対の狭持片１３ａの間には、上方に向けて開口する狭持溝１３ｂが設けられている。この狭持部１３にヒューズ５０を取り付ける場合には、ヒューズ５０の脚部を上から狭持溝１３ｂに押し込めばよい。ヒューズ５０の脚部を狭持溝１３ｂに押し込むと、一対の狭持片１３ａが開き方向に変形しつつヒューズ５０の脚部をしっかりと挟み込むようになっている。
【００１８】
なお、上記したベース部１２は、図４（ｂ）等に示すように、狭持部１３よりも最大幅が幅広に形成されており、両側が狭持部１３よりも横に張り出した形となっている。そして、この横に張り出した部分が後述する絶縁ケース体２０の保持溝２３に係合可能となっている。
【００１９】
絶縁ケース体２０は、樹脂等の絶縁材料で形成されており、略直方体形状の基台部２１と、基台部２１の上部に突出形成されたヒューズ装着部３０と、を備えている。
【００２０】
基台部２１は、上面に接続金具１１を支持するための金具支持部２２を備えている。この金具支持部２２は、基台部２１の長手方向の両側に２箇所設けられており、それぞれの金具支持部２２に接続金具１１を取り付け可能となっている。
【００２１】
金具支持部２２の両脇には、接続金具１１のベース部１２をスライド挿入可能な保持溝２３が形成されている。この保持溝２３は、水平方向に延設されており、基台部２１の両端部において開口している。この保持溝２３の開口からベース部１２を挿入すると、ベース部１２は水平方向にスライド可能にガイドされ、ヒューズ装着部３０の内部に突き当たる位置まで挿入される。このように接続金具１１のベース部１２を保持溝２３にスライド挿入するだけで接続金具１１の取り付けが完了するので、接続金具１１を絶縁ケース体２０へ取り付ける際の組み付けが容易となっている。
【００２２】
このように接続金具１１を絶縁ケース体２０に取り付けると、図１等に示すように、接続金具１１のベース部１２が金具支持部２２によって下から支持されるとともに、ベース部１２の上面が露出した状態となる。この状態でベース部１２に端子ネジ４０を取り付けることで、上記したように配線が可能となる。また、この端子ネジ４０を取り付けることで、ベース部１２が金具支持部２２から脱落しないようにすることができる。
【００２３】
ここで、図３（ｂ）に示すように、金具支持部２２には、上方に向けて開口する凹部２４が設けられている。この凹部２４は、端子ネジ４０の先端部を挿入するためのものである。すなわち、ベース部１２の取付孔１２ａに端子ネジ４０を取り付けたときに、取付孔１２ａを貫通した端子ネジ４０の先端部が凹部２４に挿入されるようになっている。このように端子ネジ４０の先端部が凹部２４に挿入されることで、端子ネジ４０を緩めた場合でも端子ネジ４０が凹部２４に係合しているので、ベース部１２が保持溝２３上を移動しないようになっている。
【００２４】
なお、基台部２１の下部には、ＤＩＮレールなどに嵌合固定するためのレール取付部２５が設けられている。レール取付部２５は、開き方向に変形可能な一対の爪部を備えて形成されており、ＤＩＮレールに押し付けることでＤＩＮレールに嵌合するようになっている。このレール取付部２５を使用することで、ヒューズホルダ１０をＤＩＮレールに取り付けることができる。
【００２５】
ヒューズ装着部３０は、ヒューズ５０を上方から挿入して取り付けるための部位である。このヒューズ装着部３０の上面には丸穴３７が開口しており、この丸穴３７の直径方向には一対の切欠き３１が形成されている。この一対の切欠き３１はヒューズ５０の挿入をガイドするためのものであり、図１に示すように、切欠き３１に沿って上からヒューズ５０を挿入することでヒューズ５０がヒューズホルダ１０に装着される。ヒューズ装着部３０の上面には略コ字形に突出したヒューズ受部３２が形成されており、ヒューズ５０を奥まで挿入したときに、このヒューズ受部３２でヒューズ５０の前後を受けるようになっている。このようにヒューズ５０の前後を受けることで、ヒューズ５０の両側が露出するようになっており、ヒューズ５０を取り外すときにヒューズ５０の両側を掴みやすくなっている。
【００２６】
また、ヒューズ装着部３０の前後には、金具支持部２２に臨むように開口部３３が設けられている。この開口部３３は、接続金具１１を絶縁ケース体２０に取り付けたときに、ヒューズ装着部３０の内部に狭持部１３を入り込ませるためのものである。ヒューズ装着部３０の内部に狭持部１３を入り込ませると、狭持部１３が上記した切欠き３１の下方に位置する。すなわち、切欠き３１の下方に狭持溝１３ｂが開口するので、切欠き３１に沿って上からヒューズ５０を挿入したときに、ヒューズ５０の脚部が狭持溝１３ｂに誘導されて挿入されるようになっている。
【００２７】
なお、図３（ａ）に示すように、ヒューズ装着部３０の下方には、ヒューズホルダ１０をネジで取り付けるための固定孔３８が設けられている。この固定孔３８は、上記した丸穴３７の下方に連通して設けられており、丸穴３７よりも小径で形成されている。このため、丸穴３７から固定用のネジを挿入し、固定孔３８を貫通させるようにすれば、ネジを使用してヒューズホルダ１０を所望の場所に取り付けることができる。
【００２８】
以上説明したように、本実施形態によれば、ヒューズ５０を狭持する狭持部１３を備えた一対の接続金具１１と、前記接続金具１１を保持する絶縁ケース体２０と、を備え、前記接続金具１１に配線を接続可能であるので、低背ヒューズを自動車以外の様々な用途に使用することができる。例えばＤＣ用のヒューズ５０を使用したい場合、このヒューズホルダ１０を使用することで容易に低背ヒューズを回路に接続することができる。
【００２９】
また、前記ヒューズ装着部３０の下方には、前記ヒューズホルダ１０をネジで取り付けるための固定孔３８が設けられている。よって、固定孔３８を使用してヒューズホルダ１０を容易に固定することができる。また、ヒューズ５０の裏側に固定孔３８があるので、ヒューズホルダ１０のサイズを小型化できる。
【００３０】
また、前記接続金具１１は、配線を接続可能なベース部１２と、前記ベース部１２の端部から垂直に立ちあがる前記狭持部１３と、を備え、前記絶縁ケース体２０には、前記ベース部１２をスライド挿入可能な保持溝２３が形成されている。このような構成によれば、ベース部１２を保持溝２３にスライドさせるだけで接続金具１１を絶縁ケース体２０に取り付けることができ、組み付け性がよい。また、ヒューズ５０を取り付けるときに上方向から力が加わっても、接続金具１１が絶縁ケース体２０に下から支持されているので、接続金具１１が変形するなどの問題が生じにくい。
【００３１】
なお、上記した実施形態においては、低背ヒューズを装着可能なヒューズホルダ１０について説明したが、これに限らず、ミニヒューズを装着可能なヒューズホルダ１０であっても同様に構成することができる。
【符号の説明】
【００３２】
１０  ヒューズホルダ
１１  接続金具
１２  ベース部
１２ａ  取付孔
１３  狭持部
１３ａ  狭持片
１３ｂ  狭持溝
２０  絶縁ケース体
２１  基台部
２２  金具支持部
２３  保持溝
２４  凹部
２５  レール取付部
３０  ヒューズ装着部
３１  切欠き
３２  ヒューズ受部
３３  開口部
３７  丸穴
３８  固定孔
４０  端子ネジ
５０  ヒューズ
【図１】
2017045510.tif 000003
【図２】
2017045510.tif 000004
【図３】
2017045510.tif 000005
【図４】
2017045510.tif 000006